(57)【要約】【課題】サービスに商材を提供する提供者側の負担を軽減させること。【解決手段】本願に係る生成装置は、取得部と、抽出部と、生成部とを備える。取得部は、第１のサービスで販売される対象として提供者から提供された所定の商材に関する販売情報を取得する。抽出部は、取得部によって取得された所定の商材に関する販売情報と、第２のサービスにおける所定の商材に関する情報とで相違する情報を抽出する。生成部は、抽出部によって抽出された情報に基づいて、第２のサービスにおける所定の商材に関する販売情報を生成する。【選択図】図１
2018136619.tif 000002
【特許請求の範囲】
【請求項１】
第１のサービスで販売される対象として提供者から提供された所定の商材に関する販売情報を取得する取得部と、
前記取得部によって取得された前記所定の商材に関する販売情報と、第２のサービスにおける当該所定の商材に関する情報とで相違する情報を抽出する抽出部と、
前記抽出部によって抽出された情報に基づいて、前記第２のサービスにおける当該所定の商材に関する販売情報を生成する生成部と、
を備えたことを特徴とする生成装置。
【請求項２】
前記生成部は、
前記抽出部によって、前記第１のサービスにおける前記所定の商材の販売情報に対応する情報が前記第２のサービスに存在しないことが抽出された場合に、前記第２のサービスにおける当該所定の商材に関する販売情報を生成する、
ことを特徴とする請求項１に記載の生成装置。
【請求項３】
前記生成部は、
前記抽出部によって、前記第１のサービスにおける前記所定の商材の販売情報が、前記第２のサービスに存在する当該所定の商材の販売情報よりも優位な情報を含むことが抽出された場合に、当該第１のサービスにおける販売情報と少なくとも同等の情報を含む当該第２のサービスにおける販売情報を生成する、
ことを特徴とする請求項１に記載の生成装置。
【請求項４】
前記生成部は、
前記第１のサービスにおける前記所定の商材の販売情報のうち、当該第１のサービスにおいて設定された価格、もしくは当該第１のサービスにおいて設定された特典の少なくともいずれかが同等の条件、もしくは優位な条件となるように、当該第２のサービスにおける販売情報を生成する、
ことを特徴とする請求項３に記載の生成装置。
【請求項５】
前記取得部は、
前記第１のサービスにおける前記所定の商材に関する複数の販売情報に対するユーザの反応を取得し、
前記生成部は、
前記第１のサービスにおける前記所定の商材の複数の販売情報のうち、前記ユーザの反応が所定の閾値を超える販売情報に対応する情報を、前記第２のサービスにおける当該所定の商材に関する販売情報として生成する、
ことを特徴とする請求項１〜４のいずれか一つに記載の生成装置。
【請求項６】
前記取得部は、
前記第１のサービスにおける前記所定の商材に関する複数の販売情報に対する検索数、又は、コンバージョン数もしくはコンバージョン率を取得し、
前記生成部は、
前記第１のサービスにおける前記所定の商材の複数の販売情報のうち、検索数、又は、コンバージョン数もしくはコンバージョン率が所定の閾値を超える販売情報に対応する情報を、前記第２のサービスにおける当該所定の商材に関する販売情報として生成する、
ことを特徴とする請求項５に記載の生成装置。
【請求項７】
前記抽出部によって抽出された情報に基づいて、前記提供者から第１のサービスに対して提供された販売情報と、前記提供者から第２のサービスに対して提供された販売情報とで相違する情報を、当該提供者に通知する通知部、
をさらに備えることを特徴とする請求項１〜６のいずれか一つに記載の生成装置。
【請求項８】
前記通知部は、
前記提供者から第１のサービスに対して提供された販売情報に対するユーザの反応に関する情報、又は、反応を示したユーザの属性情報を当該提供者に通知する、
ことを特徴とする請求項７に記載の生成装置。
【請求項９】
前記生成部は、
前記通知部による通知を受けた提供者から、前記第２のサービスに対する販売情報の生成の要求を受け付けた場合に、当該第２のサービスにおける販売情報を生成する、
ことを特徴とする請求項７又は８に記載の生成装置。
【請求項１０】
前記通知部は、
前記第１のサービスに対して提供された販売情報であって、前記所定の商材に類似する商材に関する販売情報を当該提供者に通知する、
ことを特徴とする請求項７〜９のいずれか一つに記載の生成装置。
【請求項１１】
前記通知部は、
前記所定の商材の近隣に所在する商材、前記所定の商材に類似する客層を有する商材、又は、前記所定の商材に類似する価格設定を有する商材の少なくともいずれかの商材に関する販売情報を当該提供者に通知する、
ことを特徴とする請求項１０に記載の生成装置。
【請求項１２】
前記取得部は、
前記提供者が第１のサービスに提供する宿泊プランを取得し、
前記抽出部は、
前記提供者が第１のサービスに提供する宿泊プランと、当該提供者が第２のサービスに提供する宿泊プランとを比較することで、当該第１のサービスと当該第２のサービスとで相違する情報を抽出し、
前記生成部は、
前記抽出部によって抽出された情報に基づいて、前記提供者が前記第２のサービスに提供する宿泊プランを生成する、
ことを特徴とする請求項１〜９のいずれか一つに記載の生成装置。
【請求項１３】
前記取得部は、
店舗が第１のサービスに提供する商品情報を取得し、
前記抽出部は、
前記店舗が第１のサービスに提供する商品情報と、当該店舗が第２のサービスに提供する商品情報とを比較することで、当該第１のサービスと当該第２のサービスとで相違する情報を抽出し、
前記生成部は、
前記抽出部によって抽出された情報に基づいて、前記店舗が前記第２のサービスに提供する商品情報を生成する、
ことを特徴とする請求項１〜１０のいずれか一つに記載の生成装置。
【請求項１４】
コンピュータが実行する生成方法であって、
第１のサービスで販売される対象として提供者から提供された所定の商材に関する販売情報を取得する取得工程と、
前記取得工程によって取得された前記所定の商材に関する販売情報と、第２のサービスにおける当該所定の商材に関する情報とで相違する情報を抽出する抽出工程と、
前記抽出工程によって抽出された情報に基づいて、前記第２のサービスにおける当該所定の商材に関する販売情報を生成する生成工程と、
を含んだことを特徴とする生成方法。
【請求項１５】
第１のサービスで販売される対象として提供者から提供された所定の商材に関する販売情報を取得する取得手順と、
前記取得手順によって取得された前記所定の商材に関する販売情報と、第２のサービスにおける当該所定の商材に関する情報とで相違する情報を抽出する抽出手順と、
前記抽出手順によって抽出された情報に基づいて、前記第２のサービスにおける当該所定の商材に関する販売情報を生成する生成手順と、
をコンピュータに実行させることを特徴とする生成プログラム。
【発明の詳細な説明】
【技術分野】
【０００１】
本発明は、生成装置、生成方法及び生成プログラムに関する。
【背景技術】
【０００２】
近年、インターネットの飛躍的な普及に伴い、ネットワークを介した様々なサービス（例えばウェブサイト）が提供されている。例えば、複数の宿泊施設から提供された種々の宿泊プランをユーザに提示し、ユーザが所望する宿泊プランを選択するような宿泊予約サイトが提供されている。また、ショッピングモールを模すことにより、一つのサイト内で複数の店舗をユーザが利用できることを可能にしたショッピングサイト等が提供されている。
【０００３】
例えば、ネットワークを介したサービスの提供に関する技術として、複数の電子商店等をサーバーシステム側で一元的に管理することができる電子商取引管理システムが知られている。
【先行技術文献】
【特許文献】
【０００４】
【特許文献１】特開２００１−３１９０８２号公報
【発明の概要】
【発明が解決しようとする課題】
【０００５】
しかしながら、上記の従来技術では、サービスに商材を提供する提供者側の負担を軽減させることが困難であった。例えば、従来技術では、上記のようなサービスを運営する運営側が、出店者等を一元的に管理できるに過ぎない。しかし、運営側は、サービスの売上増加やサービスの利便性の向上のため、さらにサービスを充実させるための施策が必要になる場合がある。例えば、運営側は、自身が運営するサービスに商材を提供する提供者（例えば、宿泊施設や店舗の出店者）をできる限り多く揃えることを要望する。また、提供者にも、販売網の拡大等のため、複数のサービスに商材を提供したいという要望がある。しかし、提供者は、複数のサービスに対して様々な宿泊プランを作成する負担があることから、複数のサービスに商材を提供することが困難な場合がある。
【０００６】
本願は、上記に鑑みてなされたものであって、サービスに商材を提供する提供者側の負担を軽減させることができる生成装置、生成方法及び生成プログラムを提供することを目的とする。
【課題を解決するための手段】
【０００７】
本願に係る生成装置は、第１のサービスで販売される対象として提供者から提供された所定の商材に関する販売情報を取得する取得部と、前記取得部によって取得された前記所定の商材に関する販売情報と、第２のサービスにおける当該所定の商材に関する情報とで相違する情報を抽出する抽出部と、前記抽出部によって抽出された情報に基づいて、前記第２のサービスにおける当該所定の商材に関する販売情報を生成する生成部と、を備えたことを特徴とする。
【発明の効果】
【０００８】
実施形態の一態様によれば、サービスに商材を提供する提供者側の負担を軽減させることができるという効果を奏する。
【図面の簡単な説明】
【０００９】
【図１】図１は、実施形態に係る生成処理の一例を示す図である。
【図２】図２は、実施形態に係る生成処理システムの構成例を示す図である。
【図３】図３は、実施形態に係る生成装置の構成例を示す図である。
【図４】図４は、実施形態に係る他サイトテーブルの一例を示す図である。
【図５】図５は、実施形態に係る自サイトテーブルの一例を示す図である。
【図６】図６は、実施形態に係るコンテンツ記憶部の一例を示す図である。
【図７】図７は、実施形態に係る処理手順を示すフローチャート（１）である。
【図８】図８は、実施形態に係る処理手順を示すフローチャート（２）である。
【図９】図９は、生成装置の機能を実現するコンピュータの一例を示すハードウェア構成図である。
【発明を実施するための形態】
【００１０】
以下に、本願に係る生成装置、生成方法及び生成プログラムを実施するための形態（以下、「実施形態」と呼ぶ）について図面を参照しつつ詳細に説明する。なお、この実施形態により本願に係る生成装置、生成方法及び生成プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１１】
〔１．生成処理の概要〕
まず、図１を用いて、実施形態に係る生成処理の一例について説明する。図１は、実施形態に係る生成処理の一例を示す図である。図１では、本願に係る生成装置に対応する生成装置１００によって、所定の商材がサービスにおいてユーザに販売される際の販売情報が生成される例を示す。
【００１２】
なお、実施形態では、サービスの一例として、ウェブネットワークを介して提供されるウェブサービスサイトを例に挙げる。図１では、サービスとして、宿泊予約サイトを例に挙げる。この場合、商材とは、宿泊施設（具体的には、宿泊施設における宿泊や食事の利用）が該当する。また、販売情報とは、図１の例では、各宿泊施設に対応する宿泊プラン等が該当する。宿泊プランとは、例えば、当該宿泊施設に宿泊する日数や、料金や、各種特典等が設定された情報であり、宿泊予約サービス側がユーザに販売する商品ともいえる。例えば、ユーザは、宿泊予約サイトにアクセスし、自身が所望する宿泊プランを選択して、申込み（購入）等を行うことができる。なお、販売情報は、宿泊プランに限られず、食事利用に関するプラン等であってもよい。なお、以下では、宿泊プランを、単に「プラン」とのみ表記する場合がある。
【００１３】
このような宿泊予約サイトでは、商材を提供する提供者（図１の例では、宿泊施設や、宿泊施設と契約した旅行代理店等が該当する）から、種々のプランを受け付ける。すなわち、宿泊予約サイトでは、多様なユーザの要望に応えるため、チェックアウトの時間が変更可能なプランや、洋室か和室かを選択できるプランや、豪華な食事が付いてくるプランなど、多種多様なプランを揃えることを所望する。また、提供者側も、多種多様なプランをサービス側に提供することでユーザの期待に応え、多くのユーザを宿泊施設に集客したいというニーズがある。
【００１４】
ここで、宿泊予約サービスが複数存在する場合、提供者は、複数のサービスにプランを作成したいという要望がある。すなわち、複数の宿泊予約サービスが存在する場合、ユーザは、ユーザ自身が利用しやすいサービスを利用することになると想定される。このとき、ユーザが利用する宿泊予約サービスに提供者が提供するプランが登録されていなければ、提供者は、ユーザから宿泊予約を受け付けることができず、販売機会を逃すことになる。しかしながら、複数の宿泊予約サービスに登録し、プランを作成することは、提供者にとって負担が大きいという問題もある。このため、提供者は、主に利用する１つか２つの宿泊予約サービスにプランを作成するものの、他のサービスにはプランを作成しない、といった状況が起こり得る。
【００１５】
また、宿泊予約サービスを運営する側にとっても、多くの宿泊施設をラインナップとして取り揃えたり、提供者から多種多様なプランを提供してもらったりしなければ、サービスそのものへの集客力が低下することになる。しかし、上記のように、提供者にとって複数の宿泊予約サービスに登録してプランを作成することは負担が大きく、所望するような多種多様なプランを揃えられない場合もある。
【００１６】
そこで、実施形態に係る生成装置１００は、以下に説明する生成処理によって、プランの作成という提供者の負担を軽減させることにより、自サイト（実施形態では、生成装置１００が提供するサービスサイトを指す）に多種多様なプランを揃えることを可能とする。以下、図１を用いて、生成装置１００によるプランに関する生成処理の一例を流れに沿って説明する。
【００１７】
図１に示す生成装置１００は、実施形態に係る生成処理を実行するサーバ装置である。また、生成装置１００は、宿泊予約サイトをユーザに提供するウェブサーバとしての機能を兼ねるものとする。
【００１８】
図１に示すウェブサーバ３０１及びウェブサーバ３０２は、宿泊予約サイトをユーザに提供するウェブサーバである。生成装置１００と、ウェブサーバ３０１と、ウェブサーバ３０２とは、それぞれ異なる宿泊予約サイトをユーザに提供するものとする。なお、以下では、ウェブサーバ３０１とウェブサーバ３０２とを区別する必要のない場合には、「ウェブサーバ３０」と表記する。
【００１９】
また、以下の説明では、ウェブサーバ３０１又はウェブサーバ３０２のように、生成装置１００以外のサーバが提供するサービスを「第１のサービス」と表記する場合がある。また、生成装置１００が提供するサービスを「第２のサービス」と表記する場合がある。また、ウェブサーバ３０１又はウェブサーバ３０２のように、生成装置１００以外のサーバが提供するサイトを「他サイト」と表記する場合がある。また、生成装置１００が提供するサイトを「自サイト」と表記する場合がある。
【００２０】
図１に示す例において、生成装置１００は、提供者（図１の例では、施設管理者）から、新たなプランを提供してもらうことを所望しているものとする。すなわち、生成装置１００は、自サイトにおいて、施設管理者が提供する商材の販売情報を新たに追加し、販売情報のラインナップを増加させることを所望しているものとする。
【００２１】
この場合、まず生成装置１００は、他サイトにおける販売プランを取得する（ステップＳ１１）。具体的には、生成装置１００は、ウェブサーバ３０１が提供するサービスである予約サイトＷ３１にアクセスする。そして、生成装置１００は、予約サイトＷ３１において、施設管理者が所有する商材の一つである「ホテルＨ０１」のプランとして、「プランＰ１１」や、「プランＰ１２」や、「プランＰ１３」等が登録されているという情報を取得する。例えば、生成装置１００は、ウェブネットワーク上の情報を取得するためのクロール（crawl）処理を行うプラグラム等によって、予約サイトＷ３１における情報を取得する。
【００２２】
例えば、生成装置１００は、他サイトに掲載されているプランにおけるテキストデータ（より具体的には、プランを紹介するウェブページに含まれるテキストデータや、テキストデータを含むＨＴＭＬ（HyperText  Markup  Language）データ）を取得する。これにより、生成装置１００は、プランの対象とする宿泊施設名（図１の例ではホテルＨ０１）や、プランが設定されている期間や、価格や、食事や特典の情報などを取得することができる。
【００２３】
同様に、生成装置１００は、ウェブサーバ３０２が提供するサービスである予約サイトＷ３２にアクセスする。そして、生成装置１００は、予約サイトＷ３２において、「ホテルＨ０１」のプランとして、「プランＰ２１」や、「プランＰ２２」や、「プランＰ２３」等が登録されているという情報を取得する。なお、図１では図示を省略しているが、生成装置１００は、予約サイトＷ３１や予約サイトＷ３２とは異なる他の予約サイトから、さらに情報を取得してもよい。
【００２４】
具体的には、生成装置１００は、他サイトにおける販売プランに関する情報として、プランに設定されている価格や、プランが対象とするユーザに関する情報（例えば、夫婦に限定されるプランや、年齢が限定されるプランや、女性のみに適用されるプラン等の情報）や、プランに設定されている特典の情報等を取得する。
【００２５】
また、生成装置１００は、それぞれのプランが、ユーザからどのような評価を受けているかといった評価情報を取得してもよい。例えば、生成装置１００は、予約サイトＷ３１等において、プランを利用したユーザが当該プランを評価した情報（例えば、５段階評価による評価値など）を取得する。
【００２６】
また、生成装置１００は、それぞれのプランが、どのようなユーザから利用されたのかといった結果情報を取得してもよい。例えば、生成装置１００は、プランを実際に利用したユーザの属性情報を取得する。具体的には、生成装置１００は、プランを利用したユーザの年齢や性別や居住地や年収等の情報を取得する。
【００２７】
他サイトの情報を取得した生成装置１００は、その後、他サイトと自サイトとで相違する情報を抽出する（ステップＳ１２）。具体的には、生成装置１００は、ホテルＨ０１に関するプランであって、自サイトに登録されているプランを参照する。そして、生成装置１００は、他サイトから取得したプランのうち、自サイトに登録されていない内容を抽出する。
【００２８】
仮に、生成装置１００が提供するサイトにおいては、ホテルＨ０１に関するプランが「プランＰ１１」しか登録されていなかったものとする。そして、プランＰ１１は、予約サイトＷ３１におけるプランＰ１１と同一の内容であったものとする。この場合、生成装置１００は、予約サイトＷ３１におけるプランＰ１２やプランＰ１３、予約サイトＷ３２におけるプランＰ２１、プランＰ２２及びプランＰ２３に関する情報を、他サイトと自サイトとで異なる情報として抽出する。
【００２９】
そして、生成装置１００は、抽出した情報に基づいて、施設管理者に自サイトでのプラン生成を提案する（ステップＳ１３）。具体的には、生成装置１００は、施設管理者が所有する施設端末２０に、自サイトにおいて、プランＰ１２や、プランＰ１３や、プランＰ２１や、プランＰ２２や、プランＰ２３等の内容に対応するプランの生成を提案する。この場合、生成装置１００は、例えば、施設管理者がプラン生成に承諾する旨を送信するなど、簡易なステップのみによって、既存のプランであるプランＰ１２等の内容に対応するプランを自サイトにおいて生成可能である旨を施設管理者に伝えるようにしてもよい。
【００３０】
そして、施設管理者は、プラン生成を生成装置１００に要求したものとする（ステップＳ１４）。生成装置１００は、かかる要求を受け付けた場合、プランＰ１２等に対応するプランであるプランＰ０２等を生成するものとする。そして、生成装置１００は、生成したプランを自サイトに反映する（ステップＳ１５）。例えば、生成装置１００は、自身が提供する宿泊予約サービスサイトである予約サイトＷ１０において、ホテルＨ０１におけるプランとして、既存のプランＰ０１や、新たに生成したプランＰ０２や、プランＰ０３や、プランＰ０４や、プランＰ０５を登録する。これにより、生成装置１００は、ホテルＨ０１における多種多様なプランを生成することができる。
【００３１】
なお、生成装置１００は、プランを生成する際に、取得した評価情報や、ユーザ情報を利用してもよい。すなわち、生成装置１００は、他サイトにおいて評価が高いプランに対応するプランのみを生成したり、自サイトにおいてターゲットとしたいユーザに好まれているプランのみを生成したりする等の調整を行ってもよい。
【００３２】
図１で説明してきたように、実施形態に係る生成装置１００は、第１のサービスで販売される対象として提供者から提供された、所定の商材に関する販売情報を取得する。そして、生成装置１００は、取得した所定の商材に関する販売情報と、第２のサービスにおける所定の商材に関する情報とで相違する情報を抽出する。さらに、生成装置１００は、抽出した情報に基づいて、第２のサービスにおける所定の商材に関する販売情報を生成する。
【００３３】
このように、実施形態に係る生成装置１００は、施設管理者等の提供者が他サイトに作成した既存のプランを取得し、取得した情報から、自サイトに存在しない内容を含むプランを抽出する。そして、生成装置１００は、かかる情報に基づいて、自サイトにおけるプランを生成する。これにより、生成装置１００は、提供者がプラン作成を行う手間や、作成したプランを宿泊予約サイトに登録するような手間を掛けさせずに、自サイトのプランを生成することができる。このため、生成装置１００は、自サイトのプランを充実させることができるとともに、サービスに商材を提供する提供者側の負担を軽減させることができる。
【００３４】
なお、生成装置１００は、他サイトに存在した既存のプランと、必ずしも同一のプランを生成することを要しない。例えば、生成装置１００は、他サイトに存在した既存のプランに対して価格を引き下げたり、自サイト独自の特典を追加したりしたプランを生成してもよい。
【００３５】
また、図１では、ステップＳ１１において、プランを予約したユーザや、プランを評価したユーザに関する情報を取得する例を示した。この場合、生成装置１００は、図１で説明した手法以外にも、種々の既存の技術を利用して情報を取得するようにしてもよい。例えば、生成装置１００は、ウェブビーコン（web  beacon）等によって実現される通知機能を利用して、他サイトのユーザに関する情報を取得してもよい。
【００３６】
すなわち、プランが表示されるウェブページには、ウェブビーコン等によって実現される、ユーザ情報に関する通知機能が埋め込まれる場合がある。例えば、ウェブビーコンは、ウェブページにアクセスした端末装置を生成装置１００内に格納される透明な画像又は非常に小さな画像（「クリアＧＩＦ」と呼ばれることもある）にアクセスさせる機能を有する。これにより、生成装置１００は、端末装置からユーザ情報を受信し、取得することができる。例えば、生成装置１００は、ウェブビーコンによって実現される機能により、ユーザが端末装置上において、プランをクリックしたり、プランを購入（申込み）したり、プランへの評価を行ったりした情報などを受信することができる。
【００３７】
また、図１に示した例では、生成装置１００は、施設管理者にプラン生成を提案した後に、プランを生成する例を示した。しかし、生成装置１００は、施設管理者に提案を送信することなく、プランを生成してもよい。例えば、生成装置１００は、事前に施設管理者から承諾を受けること等により、施設管理者に提案を送信することなくプランを生成し、生成したプランを自動的に自サイトに反映させる処理等を行ってもよい。
【００３８】
また、生成装置１００は、ホテルＨ０１に関するプランが自サイトにない状態であってもプランを生成してもよい。この場合、生成装置１００は、ステップＳ１２における抽出処理において、自サイトにホテルＨ０１に関するプランがないことを抽出する。そして、生成装置１００は、他サイトから取得された全てのプランに対応する各々のプランを生成するようにしてもよい。すなわち、生成装置１００は、第１のサービスにおいては提供者から提供された所定の商材に関する「販売情報（プラン）」を取得するものの、第２のサービス（すなわち、自身が提供するサービス）においては、必ずしも販売情報（プラン）を取得するのではなく、「所定の商材に関する情報」を取得するものであってもよい。このことは、生成装置１００自身が提供するサービスでは、第１のサービスで取り扱われている所定の商材に関する販売情報が存在していない場合もありうることを示している。
【００３９】
以下、図１で説明したような実施形態に係る生成処理を行う生成装置１００、及び、生成装置１００が含まれる生成処理システム１について、詳細に説明する。
【００４０】
〔２．生成処理システムの構成〕
次に、図２を用いて、実施形態に係る生成装置１００が含まれる生成処理システム１の構成について説明する。図２は、実施形態に係る生成処理システム１の構成例を示す図である。図２に例示するように、実施形態に係る生成処理システム１には、ユーザ端末１０と、施設端末２０と、ウェブサーバ３０と、生成装置１００とが含まれる。これらの各種装置は、ネットワークＮを介して、有線又は無線により通信可能に接続される。なお、図２に示した生成処理システム１には、複数台のユーザ端末１０や、複数台の施設端末２０や、複数台のウェブサーバ３０が含まれてもよい。
【００４１】
ユーザ端末１０は、ユーザによって利用される情報処理端末である。ユーザ端末１０は、例えば、デスクトップ型ＰＣ（Personal  Computer）や、ノート型ＰＣや、タブレット型端末や、スマートフォン等の携帯電話機、ＰＤＡ（Personal  Digital  Assistant）等の情報処理装置である。
【００４２】
例えば、ユーザ端末１０は、ウェブサーバ３０や生成装置１００にアクセスすることで、ウェブサーバ３０や生成装置１００が提供するウェブサイトからコンテンツ（例えばウェブページ）を取得し、取得したコンテンツを表示装置（例えば、液晶ディスプレイ）に表示する。ユーザは、ユーザ端末１０を介して、コンテンツによって提供される各種サービスを利用する。なお、本明細書中では、ユーザ端末１０と、ユーザ端末１０を利用するユーザとを同一視する場合がある。例えば、「ユーザにコンテンツを送信する」とは、実際には、「ユーザが利用するユーザ端末１０にコンテンツを送信する」ことを意味する場合がある。
【００４３】
施設端末２０は、生成装置１００やウェブサーバ３０に商材を提供する提供者によって利用される情報処理装置である。施設端末２０は、提供者による操作に従って、商材に関する販売情報（プラン）を各サービスに登録する。また、施設端末２０は、作成した販売情報を生成装置１００やウェブサーバ３０が提供するサービスに登録する。
【００４４】
なお、提供者は、施設端末２０を用いて販売情報を作成したり、サービスに販売情報を登録したりせずに、かかる処理を代理店に依頼する場合もある。この場合、販売情報を作成したり、サービスに販売情報を登録したりするのは代理店となる。以下では、「提供者」といった表記は、提供者だけでなく代理店を含む概念であり、「施設端末」といった表記は、施設端末だけでなく代理店によって利用される代理店装置を含む概念であるものとする。
【００４５】
ウェブサーバ３０は、ユーザ端末１０からアクセスされた場合に、各種コンテンツ（ウェブページ）を提供するサーバ装置である。ウェブサーバ３０は、例えば、宿泊施設の利用に関するサービスを提供する宿泊予約サイトを提供する。また、ウェブサーバ３０は、例えば、ニュースサイト、天気予報サイト、ショッピングサイト、ファイナンス（株価）サイト、路線検索サイト、地図提供サイト、飲食店紹介サイト、ウェブブログなどに関する各種ウェブページを提供してもよい。
【００４６】
なお、ウェブサーバ３０によって配信されるウェブページには、広告コンテンツを表示するための広告枠が含まれてもよい。そして、広告枠を含むウェブページには、広告枠に表示する広告コンテンツを取得するための広告取得命令が含まれる。例えば、ウェブページを形成するＨＴＭＬファイル等には、所定の広告サーバのＵＲＬ等が広告取得命令として記述される。この場合、ユーザ端末１０は、ＨＴＭＬファイル等に記述されているＵＲＬにアクセスすることで、広告サーバから広告コンテンツの配信を受ける。
【００４７】
生成装置１００は、上述のように、実施形態に係る生成処理を実行するサーバ装置である。なお、図１の例では、生成装置１００が宿泊予約サイトを提供するウェブサーバとしての機能を兼ねている例を示したが、生成装置１００は、必ずしもウェブサーバとしての機能を兼ねていなくてもよい。すなわち、生成装置１００は、自身が第２のサービスを提供するのではなく、第２のサービスを提供する所定のウェブサーバと協働して処理を行うサーバ装置であってもよい。
【００４８】
また、上述のように、生成装置１００は、他サイトの情報を取得する際に、他サイトを利用するユーザ端末１０を識別し、ユーザ端末１０の情報を取得してもよい。例えば、ユーザの識別は、ユーザ端末１０のウェブブラウザと、ウェブサーバ３０や生成装置１００との間でやり取りされるクッキー（Ｃｏｏｋｉｅ）にユーザ識別情報を含めることによって行われてもよい。また、生成装置１００は、ユーザ端末１０に専用のプログラムを設定し、かかる専用プログラムからユーザ識別情報を生成装置１００に送信させてもよい。また、生成装置１００は、各ウェブサイトに登録されているユーザ情報（例えば、ユーザの属性情報）と、生成装置１００が提供するサービスを利用したユーザ端末１０のクッキーとを照合することにより、各ユーザのユーザ情報を取得してもよい。
【００４９】
〔３．生成装置の構成〕
次に、図３を用いて、実施形態に係る生成装置１００の構成について説明する。図３は、実施形態に係る生成装置１００の構成例を示す図である。図３に示すように、生成装置１００は、通信部１１０と、記憶部１２０と、制御部１３０とを有する。なお、生成装置１００は、生成装置１００を利用する管理者等から各種操作を受け付ける入力部（例えば、キーボードやマウス等）や、各種情報を表示するための表示部（例えば、液晶ディスプレイ等）を有してもよい。
【００５０】
（通信部１１０について）
通信部１１０は、例えば、ＮＩＣ（Network  Interface  Card）等によって実現される。かかる通信部１１０は、ネットワークＮと有線又は無線で接続され、ネットワークＮを介して、ユーザ端末１０や、施設端末２０や、ウェブサーバ３０との間で情報の送受信を行う。
【００５１】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。図３に示すように、記憶部１２０は、プラン情報記憶部１２１と、コンテンツ記憶部１２４とを有する。
【００５２】
（プラン情報記憶部１２１について）
プラン情報記憶部１２１は、生成装置１００によって取得されたプランに関する情報を記憶する。プラン情報記憶部１２１は、データテーブルとして、他サイトテーブル１２２と、自サイトテーブル１２３とを有する。以下、各データテーブルについて順に説明する。
【００５３】
（他サイトテーブル１２２について）
他サイトテーブル１２２は、他サイトにおいて登録されているプランに関する情報を記憶する。ここで、図４に、実施形態に係る他サイトテーブル１２２の一例を示す。図４は、実施形態に係る他サイトテーブル１２２の一例を示す図である。図４に示した例では、他サイトテーブル１２２は、「サイトＩＤ」、「施設ＩＤ」、「プランＩＤ」、「プラン内容」、「評価」、「利用ユーザ情報」といった項目を有する。また、「プラン内容」の項目は、さらに「設定期間」、「価格」、「対象ユーザ」、「特典」といった小項目を有する。
【００５４】
「サイトＩＤ」は、サイト（又はサービス）を識別するための識別情報を示す。「施設ＩＤ」は、宿泊施設等の商材を識別する識別情報を示す。「プランＩＤ」は、プランを識別する識別情報を示す。なお、サイトＩＤ等の識別情報は、説明で用いる参照符号に対応するものとする。例えば、サイトＩＤ「Ｗ３１」によって識別されるサイトは、「予約サイトＷ３１」に対応する。
【００５５】
「プラン内容」は、プランとして設定されている内容を示す。なお、図４で示すプランは、例えば、ホテルＨ０１における１泊２日の宿泊プランに関するものであるとする。「設定期間」は、プランがユーザに提供される期間を示す。「価格」は、プランに設定されている価格を示す。
【００５６】
「対象ユーザ」は、プランにおいてターゲットとされるユーザに関する情報を示す。なお、図４の例では、対象ユーザを「Ｂ１１」といった概念で示しているが、実際には、対象ユーザには、ユーザの性別や年齢などの属性情報や、夫婦であることなどの具体的な条件等が記憶される。また、対象ユーザの項目には、プランを申し込むことのできる条件としてのユーザ情報が記憶されてもよい。例えば、夫婦のみでしか申し込むことのできないプランや、女性同士でしか申し込むことのできないプランである場合には、「対象ユーザ」の項目に、その旨を示す情報が記憶される。
【００５７】
「特典」は、プランに設定されている特典の内容を示す。例えば、特典は、プランにおいて、宿泊に加えてユーザに与えられる特別な待遇等である。なお、特典は、施設から提供されるもののみならず、サイト側から提供されるものであってもよい。例えば、サイト側から提供される特典とは、サイトを利用する際に利用できるポイントの付与等である。
【００５８】
「評価」は、プランに対するユーザからの評価に関する情報を示す。なお、図４の例では、評価を「Ｃ１１」といった概念で示しているが、実際には、評価には、ユーザからサイトに送信された評価に関する情報が記憶される。例えば、評価に関する情報は、プランを５段階で評価する得点や、ユーザから送信されるレビュー等が含まれる。
【００５９】
「利用ユーザ情報」は、プランを実際に利用したユーザに関する情報を示す。なお、図４の例では、利用ユーザ情報を「Ｅ１１」といった概念で示しているが、実際には、利用ユーザ情報には、ユーザの属性情報や、プランを利用したユーザの数等が記憶される。なお、利用ユーザ情報には、ユーザの属性情報のみならず、プランを利用したユーザが利用したユーザ端末１０の情報が含まれてもよい。ユーザ端末１０の情報とは、例えば、ユーザ端末１０自体を識別する情報であるデバイスＩＤや、クッキー等である。
【００６０】
すなわち、図４では、サイトＩＤ「Ｗ３１」によって識別される予約サイトＷ３１において、施設ＩＤ「Ｈ０１」によって識別されるホテルＨ０１のプランとして、プランＩＤ「Ｐ１１」で識別されるプランＰ１１等が登録されていることを示している。具体的には、プランＰ１１は、「２０１７年２月１日から２０１７年３月１日」までの期間に設定されているプランであり、価格が「１５０００円〜」であり、対象ユーザが「Ｂ１１」であり、特典が「チェックアウト１２：００」（チェックアウトの時間が１２：００まで延長される）や、「朝夕食付き」であることを示している。さらに、プランＰ１１は、評価が「Ｃ１１」であり、利用ユーザ情報が「Ｅ１１」であることを示している。
【００６１】
（自サイトテーブル１２３について）
自サイトテーブル１２３は、自サイトにおいて登録されているプランに関する情報を記憶する。ここで、図５に、実施形態に係る自サイトテーブル１２３の一例を示す。図５は、実施形態に係る自サイトテーブル１２３の一例を示す図である。図５に示すように、自サイトテーブル１２３は、図４に示した他サイトテーブル１２２と同様の項目を有する。
【００６２】
すなわち、図５では、予約サイトＷ１０において、ホテルＨ０１のプランとして、プランＰ０１が登録されていることを示している。具体的には、プランＰ０１は、「２０１７年２月１日から２０１７年３月１日」までの期間に設定されているプランであり、価格が「９５００円〜」であり、対象ユーザが「Ｂ０１」であり、特典が「朝食付き」や、「眺望良し」であることを示している。さらに、プランＰ０１は、評価が「Ｃ０１」であり、利用ユーザ情報が「Ｅ０１」であることを示している。
【００６３】
（コンテンツ記憶部１２４について）
コンテンツ記憶部１２４は、生成装置１００によって生成されたプランを含む自サイトのコンテンツ（すなわち、ユーザに提供するプラン）に関する情報を記憶する。ここで、図６に、実施形態に係るコンテンツ記憶部１２４の一例を示す。図６に示した例では、コンテンツ記憶部１２４は、図５に示した自サイトテーブル１２３に加えて、「追加特典」という項目を有する。
【００６４】
「追加特典」は、生成装置１００によってプランが生成される際に、生成元となったプランに追加された特典を示す。なお、生成装置１００は、追加特典以外の項目についても、生成元となったプランから適宜変更を行ってもよい。例えば、生成装置１００は、生成元となったプランに対して価格を引き下げる調整を行って、新たなプランを生成し、生成したプランをコンテンツ記憶部１２４に格納するようにしてもよい。
【００６５】
すなわち、図６では、予約サイトＷ１０において、ホテルＨ０１のプランとして、プランＰ０１が登録されていることを示している。具体的には、プランＰ０１は、「２０１７年２月１日から２０１７年３月１日」までの期間に設定されているプランであり、価格が「９５００円〜」であり、対象ユーザが「Ｂ０１」であり、特典が「朝食付き」や、「眺望良し」であることを示している。さらに、プランＰ０１は、追加特典が「高速ネット利用」があることを示している。また、プランＰ０１は、評価が「Ｃ０１」であり、利用ユーザ情報が「Ｅ０１」であることを示している。
【００６６】
また、図６に示すように、自サイトテーブル１２３に対して、コンテンツ記憶部１２４では、ホテルＨ０１におけるプランＰ０２や、プランＰ０３や、プランＰ０４や、プランＰ０５が追加されていることを示している。すなわち、図６では、生成装置１００が、プランＰ０１に特典を追加するとともに、プランＰ０２や、プランＰ０３や、プランＰ０４や、プランＰ０５を新たに生成し、予約サイトＷ１０に反映させたこと（登録したこと）を示している。
【００６７】
（制御部１３０について）
制御部１３０は、コントローラ（controller）であり、例えば、ＣＰＵ（Central  Processing  Unit）やＭＰＵ（Micro  Processing  Unit）等によって、生成装置１００内部の記憶装置に記憶されている各種プログラム（生成プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００６８】
図３に示すように、制御部１３０は、取得部１３１と、抽出部１３２と、通知部１３３と、受付部１３４と、生成部１３５と、受信部１３６と、配信部１３７とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００６９】
（取得部１３１について）
取得部１３１は、各種情報を取得する。例えば、取得部１３１は、第１のサービスで販売される対象として提供者から提供された所定の商材に関する販売情報を取得する。
【００７０】
具体的には、取得部１３１は、生成装置１００が提供するサイトとは異なるサイトにおいて提供者から提供された、宿泊施設に関するプランを取得する。
【００７１】
取得部１３１は、プランに関する情報として、プランを紹介するコンテンツ（ウェブページ等）を取得する。具体的には、取得部１３１は、プランが記載されたテキストデータ等を取得する。さらに、取得部１３１は、テキストデータを形態素解析すること等により、プランの内容を取得する。例えば、取得部１３１は、プランに設定された価格や、プランがターゲットとするユーザの情報や、プランに設定された特典等の情報を取得する。そして、取得部１３１は、取得した情報をプラン情報記憶部１２１に格納する。
【００７２】
また、取得部１３１は、第１のサービスにおける所定の商材に関する複数の販売情報に対するユーザの反応を取得する。具体的には、取得部１３１は、プランに対してユーザが評価を行った情報を取得する。より具体的には、取得部１３１は、５段階評価でユーザがプランを評価した情報や、ユーザから他サイトに送信されたレビュー情報等を取得する。また、取得部１３１は、評価に関する情報に基づいて、当該プランがユーザから相対的に人気のあるプランであるか否かを示す情報等を取得する。かかる情報に基づいて、後述する生成部１３５は、例えば、ユーザから人気のあるプラン内容に対応したプランのみを自サイト向けに生成する等の処理を行ってもよい。
【００７３】
さらに、取得部１３１は、第１のサービスにおける所定の商材に関する複数の販売情報に対する検索数もしくは検索率、又は、コンバージョン数もしくはコンバージョン率を取得してもよい。具体的には、取得部１３１は、所定の検索サービスにおいて、他サイトの所定のプランがユーザから検索された数（例えば、サイト名や、宿泊施設名や、プラン名等をクエリとしてユーザから検索された数）や、当該プランが申し込まれた数（コンバージョンに至った数）や、当該プランが閲覧された後にコンバージョンに至った確率等を取得する。なお、取得部１３１は、コンバージョンに至った数のみならず、ユーザがプランを閲覧した回数（言い換えれば、プランを閲覧したユーザの数）や、ユーザがプランをお気に入りリストに入れた数等を取得してもよい。
【００７４】
なお、取得部１３１は、他サイトにおける所定の商材の販売情報のみならず、他サイトにおける、所定の商材に類似する商材の販売情報を取得してもよい。具体的には、取得部１３１は、図１で示したホテルＨ０１と類似するホテルであるホテルＨ０２に関するプランが他サイトに登録されている場合、ホテルＨ０２に関するプランに関する情報を取得してもよい。この場合、類似するホテルとは、例えば、所在地が同じ地域（例えば、同一市区町村）にあるホテルや、価格帯やターゲットとするユーザ層が類似するホテルをいう。
【００７５】
また、取得部１３１は、他サイトや自サイトをユーザのユーザ情報を取得してもよい。例えば、取得部１３１は、ユーザの属性情報や、クッキー等を取得する。
【００７６】
（抽出部１３２について）
抽出部１３２は、取得部１３１によって取得された所定の商材に関する販売情報と、第２のサービスにおける所定の商材に関する情報とで相違する情報を抽出する。例えば、抽出部１３２は、提供者が第１のサービスに提供する宿泊プランと、当該提供者が第２のサービスに提供する宿泊プランとを比較することで、第１のサービスと第２のサービスとで相違する情報を抽出する。
【００７７】
例えば、抽出部１３２は、第１のサービスにおいて存在するプランに対応するプランが、第２のサービスに存在しないことを抽出する。
【００７８】
また、抽出部１３２は、第１のサービスに登録されているプランが、第２のサービスに登録されているプランであって、第１のサービスに登録されているプランに対応するプランよりも、優位な情報を含むことを抽出する。優位な情報とは、両者を比較した場合に、ユーザに対してより訴求効果を発揮すると想定される情報をいう。具体的には、優位な情報とは、プランに設定された価格がより安いことや、ユーザが望む特典がより多く設定されていること等をいう。
【００７９】
（通知部１３３について）
通知部１３３は、抽出部１３２によって抽出された情報に基づいて、所定の情報を提供者に通知する。例えば、通知部１３３は、提供者から第１のサービスに対して提供された販売情報と、提供者から第２のサービスに対して提供された販売情報とで相違する情報を、提供者に通知する。
【００８０】
具体的には、通知部１３３は、提供者から提供された第１のサービスにおけるプランであって、第２のサービスには提供されていないプランの情報を提供者に通知する。これにより、提供者は、第１のサービスには登録済みであるにもかかわらず、第２のサービスには登録していないプランを知得することができる。
【００８１】
また、通知部１３３は、提供者から第１のサービスに対して提供されたプランに対するユーザの反応に関する情報、又は、反応を示したユーザの属性情報を提供者に通知してもよい。提供者は、このような第１のサービスにおけるユーザの反応に基づいて、第２のサービスにおいても同様のプランを生成させるか否かを選択することができる。
【００８２】
なお、通知部１３３は、第２のサービスにおいて生成したプランに対してユーザから反応があった場合に、かかる情報を提供者に通知してもよい。例えば、通知部１３３は、ユーザの反応に基づいて、生成したプランに対する更新の提案を提供者に通知してもよい。例えば、生成したプランに対するユーザからの評価が相対的に芳しくない場合には、通知部１３３は、例えば、生成したプランの価格を下げる提案等を提供者に通知する。これを受けた提供者は、通知された提案に基づいて、生成したプランの更新を行うための要求を生成装置１００に送信してもよい。これにより、提供者は、生成装置１００が提供するサイトにおけるプランを、ユーザが所望するような内容に最適化することができる。
【００８３】
（受付部１３４について）
受付部１３４は、提供者から、プランの生成に関する要求を受け付ける。例えば、受付部１３４は、通知部１３３によって、第２のサービスではプランを登録していない旨の通知を受けた提供者から、第２のサービスにおいてもプランの登録を所望する要求（すなわち、プランの生成の要求）を受け付ける。
【００８４】
（生成部１３５について）
生成部１３５は、抽出部１３２によって抽出された情報に基づいて、第２のサービスにおける所定の商材に関する販売情報を生成する。具体的には、生成部１３５は、提供者が第２のサービスに提供するプランを生成する。
【００８５】
例えば、生成部１３５は、抽出部１３２によって第１のサービスにおける所定の宿泊施設のプランが第２のサービスに存在しないことが抽出された場合に、第２のサービスにおける所定の宿泊施設のプランを生成する。これにより、生成部１３５は、そもそも所定の宿泊施設に関するプランを有していなかった第２のサービス（例えば、生成装置１００が提供するサイト）に対して、第１のサービスと同様のプランを生成することができる。
【００８６】
また、生成部１３５は、抽出部１３２によって、第１のサービスにおける所定の宿泊施設のプランが、第２のサービスに存在する所定の宿泊施設のプランよりも優位な情報を含むことが抽出された場合に、第１のサービスにおけるプランと少なくとも同等の情報を含む第２のサービスにおけるプランを生成してもよい。すなわち、提供者は、宿泊予約サイトごとに、価格や特典を変化させたプランを作成する場合がある。生成部１３５は、このように宿泊予約サイトごとに相違する情報を取得した場合には、第２のサービスにおいて、少なくとも同等の情報を含むプランを生成する。
【００８７】
例えば、生成部１３５は、第１のサービスにおける所定の宿泊施設のプランのうち、第１のサービスにおいて設定された価格、もしくは、第１のサービスにおいて設定された特典の少なくともいずれかが同等の条件、もしくは、優位な条件となるように、第２のサービスにおけるプランを生成する。具体的には、生成部１３５は、同様の内容を有するプランであれば、第１のサービスにおけるプランよりも、価格が上まわらないような価格設定がなされたプランを第２のサービスに対して生成する。また、生成部１３５は、価格のみならず特典等の情報に関しても、第１のサービスと少なくとも同様の情報を含むよう、プランを生成する。これにより、生成部１３５は、他サイトのプランよりも少なくとも劣ることのないよう、自サイトのプランを生成することができる。なお、生成部１３５は、第１のサービスよりも優位な情報（例えば、より安い価格設定や、より充実した特典など）を設定したプランを第２のサービスに対して生成してもよい。
【００８８】
また、生成部１３５は、第１のサービスにおける所定の宿泊施設の複数のプランのうち、ユーザの反応が所定の閾値を超えるプランに対応する情報を、第２のサービスにおける所定の宿泊施設のプランとして生成してもよい。例えば、生成部１３５は、他サイトにおいてユーザの評価の高いプランに対応する内容のみに基づいて、自サイトにおいてプランを生成してもよい。具体的には、生成部１３５は、他サイトにおいてユーザからの５段階の評価値が４以上のプランに対応する内容のみに基づいて、自サイトにおいてプランを生成してもよい。
【００８９】
あるいは、生成部１３５は、第１のサービスにおける所定の宿泊施設の複数のプランのうち、検索数、又は、コンバージョン数もしくはコンバージョン率が所定の閾値を超える販売情報に対応する情報を、第２のサービスにおける所定の宿泊施設に関する販売情報として生成してもよい。このように、生成部１３５は、ユーザの反応に基づいて生成するプランを選択することにより、ユーザに対して訴求力のあるプランのみを生成することができる。
【００９０】
なお、生成部１３５は、通知部１３３による通知を受けた提供者から、第２のサービスに対するプランの生成の要求を受け付けた場合に、第２のサービスにおけるプランを生成するようにしてもよい。これにより、生成部１３５は、第２のサービスにおいて、提供者の意向に沿ったプランを生成することができる。
【００９１】
（受信部１３６について）
受信部１３６は、コンテンツの配信要求を受信する。具体的には、受信部１３６は、生成装置１００が提供するサービスの利用を所望するユーザから、コンテンツの配信要求を受信する。また、受信部１３６は、ユーザが自サイトにアクセスした後に、プランの詳細情報の閲覧等の要求を受信してもよい。
【００９２】
受信部１３６は、ユーザ端末１０から送信される配信要求を受信するとともに、ユーザ端末１０を識別する情報を受信する。例えば、受信部１３６は、ユーザ端末１０から送信されるクッキーを受信する。そして、受信部１３６は、受信した情報を、取得部１３１や、後述する配信部１３７へ送る。
【００９３】
（配信部１３７について）
配信部１３７は、受信部１３６によって受信された配信要求に応答して、コンテンツをユーザに配信する。具体的には、配信部１３７は、自サイトが提供するコンテンツとして、所定の宿泊施設に関するプランの情報が含まれるコンテンツ（例えばウェブページ）をユーザに配信する。
【００９４】
なお、配信部１３７は、いずれのプランがユーザから閲覧されたか、すなわち、いずれのプランの情報が含まれるコンテンツをユーザにどのくらい配信したか、といった配信情報を記憶してもよい。すなわち、配信部１３７は、どのようなプランがユーザから良く閲覧されるかといった、効果測定に関する情報を記憶してもよい。
【００９５】
〔４．処理手順〕
次に、図７及び図８を用いて、実施形態に係る処理手順について説明する。まず図７を用いて、生成装置１００が自サイト向けのプランを生成する手順の一例について説明する。図７は、実施形態に係る処理手順を示すフローチャート（１）である。
【００９６】
図７に示すように、生成装置１００は、他サイトのプランを取得する（ステップＳ１０１）。また、生成装置１００は、自サイトのプランを取得する（ステップＳ１０２）。そして、生成装置１００は、サイト間で相違する情報を抽出する（ステップＳ１０３）。続いて、生成装置１００は、抽出した情報を提供者に通知する（ステップＳ１０４）。
【００９７】
ここで、生成装置１００は、プラン生成の要求を提供者から受け付けたか否かを判定する（ステップＳ１０５）。プラン生成の要求を提供者から受け付けない場合には（ステップＳ１０５；Ｎｏ）、生成装置１００は、受け付けるまで待機する。
【００９８】
一方、プラン生成の要求を提供者から受け付けた場合には（ステップＳ１０５；Ｙｅｓ）、生成装置１００は、自サイト向けにプランを生成する（ステップＳ１０６）。さらに、生成装置１００は、生成したプランを自サイトに反映する（ステップＳ１０７）。
【００９９】
なお、生成装置１００は、上述のように、ステップＳ１０４及びステップＳ１０５の処理については省略してもよい。また、生成装置１００は、ステップＳ１０５においてプラン生成の要求を提供者から受け付けない場合には、待機せずに、処理を終了させてもよい。
【０１００】
次に、図８を用いて、生成装置１００が自サイト向けにプランを生成した後の処理手順の一例について説明する。図８は、実施形態に係る処理手順を示すフローチャート（２）である。
【０１０１】
生成装置１００は、自サイトに対してユーザからアクセスを受け付けたか否かを判定する（ステップＳ２０１）。ユーザからアクセスを受け付けていない場合には（ステップＳ２０１；Ｎｏ）、生成装置１００は、受け付けるまで待機する。
【０１０２】
一方、ユーザからアクセスを受け付けた場合には（ステップＳ２０１；Ｙｅｓ）、生成装置１００は、ユーザの要求に従ってコンテンツを配信する（ステップＳ２０２）。さらに、生成装置１００は、配信したコンテンツ（すなわち、プラン）に対するユーザの反応を取得する（ステップＳ２０３）。
【０１０３】
ここで、生成装置１００は、新たな提案を提供者に通知するか否かを判定する（ステップＳ２０４）。例えば、生成装置１００は、プランに対する反応が所定の閾値よりも芳しくない場合等に、新たな提案を提供者に通知すると判定する。なお、生成装置１００は、新たな提案を提供者に通知しないと判定した場合には（ステップＳ２０４；Ｎｏ）、再び、ユーザからアクセスを受け付けるまで待機する。
【０１０４】
新たな提案を提供者に通知すると判定した場合には（ステップＳ２０４；Ｙｅｓ）、生成装置１００は、さらに、プラン更新の要求を提供者から受け付けたか否かを判定する（ステップＳ２０５）。プラン更新の要求を提供者から受け付けない場合には（ステップＳ２０５；Ｎｏ）、生成装置１００は、再び、ユーザからアクセスを受け付けるまで待機する。
【０１０５】
一方、プラン更新の要求を提供者から受け付けた場合には（ステップＳ２０５；Ｙｅｓ）、生成装置１００は、自サイト向けのプランを更新する（ステップＳ２０６）。例えば、生成装置１００は、プランに設定されていた価格を引き下げたり、プランに特典を追加したりする処理を行う。そして、生成装置１００は、更新したプランを自サイトに反映させる（ステップＳ２０７）。
【０１０６】
〔５．変形例〕
上述した生成装置１００は、上記実施形態以外にも種々の異なる形態にて実施されてよい。そこで、以下では、生成装置１００の他の実施形態について説明する。
【０１０７】
〔５−１．類似する情報の提供〕
上記実施形態では、生成装置１００は、他サイトと自サイトとで共通する宿泊施設に関するプランを生成する例を示した。しかし、生成装置１００は、自サイトに生成するプランとして、他サイトに存在するプランの宿泊施設と異なる宿泊施設に関するプランを生成してもよい。
【０１０８】
例えば、生成装置１００は、図１に示したホテルＨ０１のプランを生成する場合に、ホテルＨ０１とは異なるホテルであって、ホテルＨ０１と類似するホテルＨ０２のプランを取得してもよい。なお、類似するホテルとは、例えば、近隣の地域（例えば、同一市区町村）に所在していたり、価格設定が類似していたり、ターゲットとするユーザ層（客層）が類似していたりするホテルをいう。
【０１０９】
すなわち、生成装置１００は、自サイトにおいてホテルＨ０１のプランを生成する場合に、他サイトにおけるホテルＨ０２のプランを取得し、取得したホテルＨ０２のプランと同様の内容をホテルＨ０１に適用させて、ホテルＨ０１のプランを生成してもよい。
【０１１０】
これにより、生成装置１００は、所定の宿泊施設と同一の宿泊施設に関するプランが他サイトになくとも、所定の宿泊施設に関するプランを自サイトに対して生成することができる。また、生成装置１００は、他の宿泊施設に関するプランを利用することにより、多様な内容を有するプランを自在に生成することができる。例えば、生成装置１００は、所定の宿泊施設の近隣の宿泊施設であって、同じような価格設定の宿泊施設が実施しているプランと同様のプランを、所定の宿泊施設について生成することができる。これにより、生成装置１００は、所定の宿泊施設について、他の宿泊施設との競争力を高めることができる。
【０１１１】
なお、生成装置１００は、生成しようとするプランを提供者に通知する際に、提供者が運営する施設の近隣に所在する施設のプランに関する情報を合わせて通知するようにしてもよい。これにより、提供者は、生成装置１００から通知された近隣宿泊施設のプランを参考にしながらプラン生成を行うことができる。例えば、生成装置１００は、近隣宿泊施設のプランに関する情報として、例えば、宿泊プランの価格や特典内容を通知する。具体的には、生成装置１００は、提供者にプランを提案する際には、近隣施設のプランの価格情報等を合わせて通知する。提供者は、通知された情報を参考にしながら、プランの価格やプランで受け付ける在庫数（予約受付枠数）を設定し、プラン生成の要求を生成装置１００に送信するようにしてもよい。
【０１１２】
すなわち、生成装置１００は、第１のサービスに対して提供されたプランであって、所定の施設に類似する施設に関するプランを提供者に通知する。具体的には、生成装置１００は、類似する施設として、所定の施設の近隣に所在する施設や、所定の施設に類似する客層を有する施設や、又は、所定の施設に類似する価格設定を有する施設の少なくともいずれかの施設に関するプランを提供者に通知する。
【０１１３】
このように、生成装置１００は、提供者に対して、近隣の施設が設定しているプランなどの種々の情報を通知するようにしてもよい。これにより、提供者は、競合する施設の情報などを効率よく取得できる。結果として、生成装置１００は、提供者に対して、よりニーズの高いプランを作成しようとする動機付けを与えることができるため、自サイトのプランをより増加させることができる。
【０１１４】
〔５−２．生成装置の別態様〕
上記実施形態では、生成装置１００がサーバ装置である例を示した。ここで、生成装置１００が実現する上記実施形態に係る処理は、施設端末２０で動作するプログラム（実施形態に係る生成プログラム）として実現されてもよい。
【０１１５】
すなわち、上記実施形態に係る処理は、施設端末２０にインストールされるプログラムであって、第２のサービスに販売情報を新たに作成しようとする提供者にとって利用される生成プログラムによって実現されてもよい。この場合、生成プログラムは、提供者が新たなプランを生成する際に有用なツールとして利用される。例えば、生成プログラムは、第２のサービスを運営する運営側であって、第２のサービスに販売情報を提供してもらうことを所望する運営側から提供されるツールとして、提供者に配布される。提供者は、生成プログラムを利用することで、第２のサービスに提供する販売情報を簡易に生成することができる。
【０１１６】
〔５−３．生成処理の応用〕
上記実施形態では、サービスとして宿泊予約サイトを例に挙げ、販売情報として宿泊プランを例に挙げた。しかし、生成装置１００による処理は、上記例に限られず、種々の商材に応用されてもよい。
【０１１７】
例えば、生成装置１００は、ショッピングモールを模したショッピングサイトに出品される商材に関する販売情報を生成してもよい。ショッピングモールを模したショッピングサイトは複数存在しており、そのような複数のサイトに対して、同じ商品を出品する提供者（この例では、例えばショッピングサイトに出品する「店舗」が該当する）が存在する。そして、複数のショッピングサイトにおいて、同じ商品であっても、異なる商品情報が作成されて商品が提供される場合がある。この場合、商品情報とは、商品の価格や、商品が販売された場合の特典（ポイントサービスにおけるポイントの付与率等）を含む。
【０１１８】
かかる例では、生成装置１００は、店舗が第１のサービス（例えば、第１のショッピングサイト）に提供する商品情報を取得する。そして、生成装置１００は、店舗が第１のサービスに提供する商品情報と、店舗が第２のサービス（例えば、第２のショッピングサイト）に提供する商品情報とを比較することで、第１のサービスと第２のサービスとで相違する情報を抽出する。さらに、生成装置１００は、抽出した情報に基づいて、店舗が第２のサービスに提供する商品情報を生成する。
【０１１９】
このように、生成装置１００は、宿泊プラン等に限らず、種々の商品に関して、実施形態に係る処理を行うことができる。これにより、生成装置１００は、複数のショッピングサイトに対して商品を出品することを所望する店舗に対して、簡易に商品情報を生成させることができる。このため、生成装置１００は、商品情報の作成等の煩わしい処理によって複数のサイトに出品を躊躇っている店舗等に対して、出品を後押しすることができる。
【０１２０】
〔５−４．効果測定〕
生成装置１００は、生成したプランについて、種々の情報を提供者に通知してもよい。例えば、生成装置１００は、他サイトにおける元のプランと比べて、自サイトに新たに生成したプランの価格を低く設定したものとする。そして、生成装置１００は、両者のプランにおけるユーザのコンバージョン数やコンバージョン率等を取得する。さらに、生成装置１００は、得られた情報を効果測定に関する情報として、提供者に通知してもよい。これにより、生成装置１００は、自サイトにおいて生成したプランの方が、他サイトよりも訴求力が高い等の結果を提供者に通知することができる。また、生成装置１００は、ユーザの反応に応じて、プランの情報を適宜更新するなどの処理を行ってもよい。
【０１２１】
〔５−５．コンテンツの種類〕
上記実施形態では、宿泊プラン等が表示されるコンテンツの例として、ウェブページを例に挙げた。しかし、コンテンツは、ウェブページに限られず、例えば、情報アプリやゲームアプリに表示されるバナー等でもよい。また、宿泊プランは、ウェブページとともに表示される広告コンテンツの態様でユーザに提供されてもよい。
【０１２２】
〔６．ハードウェア構成〕
また、上述してきた実施形態に係る生成装置１００やユーザ端末１０、施設端末２０、ウェブサーバ３０等は、例えば図９に示すような構成のコンピュータ１０００によって実現される。以下、生成装置１００を例に挙げて説明する。図９は、生成装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２３】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１２４】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応）を介して他の機器からデータを受信してＣＰＵ１１００へ送り、ＣＰＵ１１００が生成したデータを、通信網５００を介して他の機器へ送信する。
【０１２５】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１２６】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２７】
例えば、コンピュータ１０００が実施形態に係る生成装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１２８】
〔７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図３に示した受付部１３４と、受信部１３６とは統合されてもよい。また、例えば、記憶部１２０に記憶される情報は、ネットワークＮを介して、外部に備えられた記憶装置に記憶されてもよい。
【０１３０】
また、例えば、上記実施形態では、生成装置１００が、プランの情報を取得する取得処理と、サイト間の情報の相違を抽出する抽出処理と、プランを生成する生成処理とを行う例を示した。しかし、上述した生成装置１００は、取得処理を行う取得装置と、抽出処理を行う抽出装置と、生成処理を行う生成装置とに分離されてもよい。この場合、取得装置は、少なくとも取得部１３１を有する。抽出装置は、少なくとも抽出部１３２を有する。また、生成装置は、少なくとも生成部１３５を有する。そして、上記の生成装置１００による処理は、取得装置と、抽出装置と、生成装置との各装置を有する生成処理システム１によって実現される。
【０１３１】
また、上述してきた各実施形態は、処理内容を矛盾させない範囲で適宜組み合わせることが可能である。
【０１３２】
〔８．効果〕
上述してきたように、実施形態に係る生成装置１００は、取得部１３１と、抽出部１３２と、生成部１３５とを有する。取得部１３１は、第１のサービスで販売される対象として提供者から提供された所定の商材に関する販売情報を取得する。抽出部１３２は、取得部１３１によって取得された所定の商材に関する販売情報と、第２のサービスにおける所定の商材に関する情報とで相違する情報を抽出する。生成部１３５は、抽出部１３２によって抽出された情報に基づいて、第２のサービスにおける所定の商材に関する販売情報を生成する。
【０１３３】
このように、実施形態に係る生成装置１００は、他サイトにおける既存の販売情報を取得し、取得した情報から、自サイトに存在しない内容を含む販売情報を抽出する。そして、生成装置１００は、抽出した情報に基づいて、自サイトにおける販売情報を生成する。これにより、生成装置１００は、自サイトの販売情報を充実させることができるとともに、第２のサービスに商材を提供する提供者側の負担を軽減させることができる。
【０１３４】
また、生成部１３５は、抽出部１３２によって、第１のサービスにおける所定の商材の販売情報に対応する情報が第２のサービスに存在しないことが抽出された場合に、第２のサービスにおける所定の商材に関する販売情報を生成する。
【０１３５】
このように、実施形態に係る生成装置１００は、第２のサービスにおいて販売情報が存在していない場合に、販売情報を生成するようにしてもよい。これにより、生成装置１００は、第２のサービスにおける販売情報を増加させることができるため、第２のサービスにおいて多種多様な販売情報を取り揃えることができる。
【０１３６】
また、生成部１３５は、抽出部１３２によって、第１のサービスにおける所定の商材の販売情報が、第２のサービスに存在する所定の商材の販売情報よりも優位な情報を含むことが抽出された場合に、第１のサービスにおける販売情報と少なくとも同等の情報を含む第２のサービスにおける販売情報を生成する。
【０１３７】
このように、実施形態に係る生成装置１００は、第２のサービスにおいて販売情報を生成する場合には、第１のサービスよりも不利な情報を含まないように生成してもよい。これにより、生成装置１００は、例えば、第１のサービスと第２のサービスとが競合する場合に、第１のサービスに対して競争力のある販売情報を第２のサービスにおいて生成することができる。
【０１３８】
また、生成部１３５は、第１のサービスにおける所定の商材の販売情報のうち、第１のサービスにおいて設定された価格、もしくは第１のサービスにおいて設定された特典の少なくともいずれかが同等の条件、もしくは優位な条件となるように、第２のサービスにおける販売情報を生成する。
【０１３９】
このように、実施形態に係る生成装置１００は、価格や特典において、第１のサービスと比べて不利とならない条件で、第２のサービスに対して販売情報を生成する。これにより、生成装置１００は、ユーザにとってより好ましい販売情報を第２のサービスにおいて生成することができる。
【０１４０】
また、取得部１３１は、第１のサービスにおける所定の商材に関する複数の販売情報に対するユーザの反応を取得する。生成部１３５は、第１のサービスにおける所定の商材の複数の販売情報のうち、ユーザの反応が所定の閾値を超える販売情報に対応する情報を、第２のサービスにおける所定の商材に関する販売情報として生成する。
【０１４１】
このように、実施形態に係る生成装置１００は、ユーザの反応に基づいて生成する販売情報を選択するようにしてもよい。これにより、生成装置１００は、人気のある販売情報や、評価の高い販売情報を選択して生成できるので、効率良く第２のサービスの販売情報を充実させることができる。
【０１４２】
また、取得部１３１は、第１のサービスにおける所定の商材に関する複数の販売情報に対する検索数、又は、コンバージョン数もしくはコンバージョン率を取得する。生成部１３５は、第１のサービスにおける所定の商材の複数の販売情報のうち、検索数、又は、コンバージョン数もしくはコンバージョン率が所定の閾値を超える販売情報に対応する情報を、第２のサービスにおける所定の商材に関する販売情報として生成する。
【０１４３】
このように、実施形態に係る生成装置１００は、検索数の多い販売情報や、コンバージョンの多い販売情報等を選択して販売情報を生成してもよい。これにより、生成装置１００は、売上の高い販売情報や、人気の高い販売情報を優先的に第２のサービスにおいて生成することができる。このため、生成装置１００は、第２のサービスにおいて、ユーザから好まれるような質の高い販売情報を生成することができる。
【０１４４】
また、実施形態に係る生成装置１００は、抽出部１３２によって抽出された情報に基づいて、提供者から第１のサービスに対して提供された販売情報と、提供者から第２のサービスに対して提供された販売情報とで相違する情報を、提供者に通知する通知部１３３をさらに有する。
【０１４５】
このように、実施形態に係る生成装置１００は、サービス間（サイト間）で相違する情報を提供者に通知してもよい。提供者は、生成装置１００から通知を受けることにより、例えば、まだ第２のサービスにおいて販売情報を登録していなかったこと（例えば、第２のサービスに対応するサイトをまだ利用していなかったこと）や、第１のサービスでは付与していた特典を第２のサービスでは付与していなかったなどの不備に気付くことができる。これにより、生成装置１００は、第２のサービスについても販売情報を充実させようとする動機付けを提供者に与えることができる。
【０１４６】
また、通知部１３３は、提供者から第１のサービスに対して提供された販売情報に対するユーザの反応に関する情報、又は、反応を示したユーザの属性情報を提供者に通知する。
【０１４７】
このように、実施形態に係る生成装置１００は、第１のサービスにおいて販売情報を利用したユーザの反応や、よく販売情報を利用するユーザの属性情報等を提供者に通知してもよい。これにより、生成装置１００は、第２のサービスにおいても、他のサービスで評判のよい販売情報を積極的に生成させたり、ターゲットとするユーザを適切に変更して販売情報を生成させたりする動機づけを提供者に与えることができる。
【０１４８】
また、生成部１３５は、通知部１３３による通知を受けた提供者から、第２のサービスに対する販売情報の生成の要求を受け付けた場合に、第２のサービスにおける販売情報を生成する。
【０１４９】
このように、実施形態に係る生成装置１００は、提供者からの要求に応じて販売情報を生成してもよい。これにより、生成装置１００は、提供者が所望する販売情報を選択的に生成することができる。
【０１５０】
また、通知部１３３は、第１のサービスに対して提供された販売情報であって、所定の商材に類似する商材に関する販売情報を提供者に通知する。
【０１５１】
このように、実施形態に係る生成装置１００は、所定の商材に類似する商材に関する既存の販売情報を提供者に通知してもよい。これにより、生成装置１００は、提供者が販売情報を生成させようとする際に有用な情報を提供者に提供することができる。
【０１５２】
また、通知部１３３は、所定の商材の近隣に所在する商材、所定の商材に類似する客層を有する商材、又は、所定の商材に類似する価格設定を有する商材の少なくともいずれかの商材に関する販売情報を提供者に通知する。
【０１５３】
このように、実施形態に係る生成装置１００は、例えば、近隣に所在する商材（宿泊施設など）等の販売情報を提供者に通知してもよい。すなわち、生成装置１００は、競合する販売情報を提供者に通知することで、提供者が販売情報を比較する情報を提供できる。これにより、生成装置１００は、提供者に販売情報の生成への動機付けを与え、販売情報の生成を促進させることができる。
【０１５４】
また、取得部１３１は、提供者が第１のサービスに提供する宿泊プランを取得する。抽出部１３２は、提供者が第１のサービスに提供する宿泊プランと、提供者が第２のサービスに提供する宿泊プランとを比較することで、第１のサービスと第２のサービスとで相違する情報を抽出する。生成部１３５は、抽出部１３２によって抽出された情報に基づいて、提供者が第２のサービスに提供する宿泊プランを生成する。
【０１５５】
このように、実施形態に係る生成装置１００は、例えば、宿泊予約サイト等における宿泊プランを生成する。提供者は、複数の宿泊予約サイトに宿泊プランを作成するのは手間が掛かるが、生成装置１００によれば、かかる処理を簡便に行うことができる。すなわち、生成装置１００は、宿泊予約サイトに宿泊プランを提供する提供者側の負担を軽減させることができる。
【０１５６】
また、取得部１３１は、店舗が第１のサービスに提供する商品情報を取得する。抽出部１３２は、店舗が第１のサービスに提供する商品情報と、店舗が第２のサービスに提供する商品情報とを比較することで、第１のサービスと第２のサービスとで相違する情報を抽出する。生成部１３５は、抽出部１３２によって抽出された情報に基づいて、店舗が第２のサービスに提供する商品情報を生成する。
【０１５７】
このように、実施形態に係る生成装置１００は、宿泊予約サイト等に限らず、いわゆるショッピングサイト等における商品の販売に関する情報を生成してもよい。これにより、生成装置１００は、複数のショッピングサイトや、ネット上のショッピングモールに出店する店舗の負担を軽減させることができる。
【０１５８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５９】
また、上述してきた「部（section、module、unit）」は、「手段」や「回路」などに読み替えることができる。例えば、取得部は、取得手段や取得回路に読み替えることができる。
【符号の説明】
【０１６０】
１  生成処理システム
１０  ユーザ端末
２０  施設端末
３０  ウェブサーバ
１００  生成装置
１１０  通信部
１２０  記憶部
１２１  プラン情報記憶部
１２２  他サイトテーブル
１２３  自サイトテーブル
１２４  コンテンツ記憶部
１３０  制御部
１３１  取得部
１３２  抽出部
１３３  通知部
１３４  受付部
１３５  生成部
１３６  受信部
１３７  配信部
【図１】
2018136619.tif 000003
【図２】
2018136619.tif 000004
【図３】
2018136619.tif 000005
【図４】
2018136619.tif 000006
【図５】
2018136619.tif 000007
【図６】
2018136619.tif 000008
【図７】
2018136619.tif 000009
【図８】
2018136619.tif 000010
【図９】
2018136619.tif 000011